(57)【要約】      （修正有）【課題】補助具を備えていなくても着物の着崩れが防止できる帯板を提供する。【解決手段】本発明の帯板１０は、表面１の全部又は一部の素材として羊革及び／又は牛革を使用したこと、裏面の素材として合成布を使用したこと、一部が帯板１０の長手方向の中心線から左右にそれぞれ２０ｃｍ〜２２ｃｍまでの領域内の全部であること、表面１の前記一部を除く残部が合成布からなることを特徴とする。これにより補助具を備えていなくても着物の着崩れが防止できる、帯板が身体にフィットする、長時間着物を着ていても疲れにくい、帯締めのズレを防止できる、帯ズレの頻度が少ない、帯を傷めない、着装仕上がりが綺麗である、軽い、帯締めが締めやすい、従来の帯板と違って革は使えば使うほど素材が身体に馴染み、末永く使用可能であるなどの効果がある。【選択図】図１
2018159148.tif 000002
【特許請求の範囲】
【請求項１】
表面の全部又は一部の素材として羊革及び／又は牛革を使用したことを特徴とする帯板。
【請求項２】
裏面の素材として合成布を使用したことを特徴とする請求項１に記載の帯板。
【請求項３】
前記一部が、前記帯板の長手方向の中心線から左右にそれぞれ２０ｃｍ〜２２ｃｍまでの領域内の全部であることを特徴とする請求項１又は請求項２に記載の帯板。
【請求項４】
前記表面の前記一部を除く残部が、合成布からなることを特徴とする請求項１〜３のいずれか１項に記載の帯板。
【発明の詳細な説明】
【技術分野】
【０００１】
本発明は、着物を着る際に使用する帯板に関するものである。
【背景技術】
【０００２】
帯板は、帯を結ぶときに帯の間に入れて、帯に皺が寄らないように、帯の形を整えるために使用されている。
【０００３】
従来の帯板によれば、帯板が身体にフィットしない、着崩れしやすいといった問題があった。
【０００４】
そこで、特許文献１では、輪状に曲げて着物の上に巻き付け可能な長さと柔軟性を有してベルト状を呈する帯板本体を形成し、その帯板本体の長手方向の一端内面部に面ファスナを取付けるとともに、帯板本体の他端外面部にその帯板本体の長手方向と同一方向に長くてその任意の位置で上記の面ファスナを着脱自在とする面ファスナを取付け、又、帯板本体の長手方向の両端上辺角部を斜めにカットして、その帯板本体の上縁両端部にそれぞれ外側へ向って下るように傾斜した合わせ縁部を設けて成り、その両端の合わせ縁部の線を一致させる状態で着物の外周に輪状に巻き付けて、その外側に更に巻き付ける帯と共に着物に対して一体的に回転可能とした帯板が提案されている。特許文献１に記載の帯板によれば、身体におけるウエストのくびれの上部位置の形状に合致した形状になって、全体が身体にフィットするようになるため、帯板の下部の内側に隙間が発生しなくなるので、帯板が弛みにくくなって安定し、着物の着崩れを防止することができる旨が記載されている。
【０００５】
また、特許文献２では、帯の内側に着用される帯板本体と、帯板本体の長さ方向の両端部に、それぞれ取り付けられ、先端に相互に係合可能なフックを備え、帯板本体と共に着物の上に巻き付けられる伸縮自在な一対の巻付バンドと、帯板本体の上縁から上方に向けて取り付けられ、先端に帯もしくは着物の一部を挟持する挟持金具が設けられた長さ調節可能な連結バンドと、を備えている補助具付き帯板が提案されている。特許文献２に記載の帯板によれば、帯結びの仕上がりを良好なものとし、着物の着崩れが防止できる旨が記載されている。
【先行技術文献】
【特許文献】
【０００６】
【特許文献１】特開２００２−２６６１４２号公報
【特許文献２】特開２００７−２０４９０５号公報
【発明の概要】
【発明が解決しようとする課題】
【０００７】
しかし、特許文献１〜２に記載の帯板は、面ファスナやフック等の補助具を備えなければならないため、慣れていない人にとっては使いづらい。
【０００８】
そこで、本発明の目的は、補助具を備えていなくても着物の着崩れが防止できる帯板を提供することにある。
【課題を解決するための手段】
【０００９】
本発明は、上記目的を達成するために、下記の帯板を提供する。
【００１０】
［１］表面の全部又は一部の素材として羊革及び／又は牛革を使用したことを特徴とする帯板。
［２］裏面の素材として合成布を使用したことを特徴とする前記［１］に記載の帯板。
［３］前記一部が、前記帯板の長手方向の中心線から左右にそれぞれ２０ｃｍ〜２２ｃｍまでの領域内の全部であることを特徴とする前記［１］又は［２］に記載の帯板。
［４］前記表面の前記一部を除く残部が、合成布からなることを特徴とする前記［１］〜［３］のいずれか１つに記載の帯板。
【発明の効果】
【００１１】
本発明によれば、補助具を備えていなくても着物の着崩れが防止できる帯板を提供することができる。
【図面の簡単な説明】
【００１２】
【図１】本発明の実施形態に係る帯板の一例であり、（ａ）は平面図、（ｂ）は正面図、（ｃ）は背面図、（ｄ）は右側面図である。
【図２】図１の帯板の変形例である。
【発明を実施するための形態】
【００１３】
図１は、本発明の実施形態に係る帯板の一例であり、（ａ）は平面図、（ｂ）は正面図、（ｃ）は背面図、（ｄ）は右側面図である。また、図２は、図１の帯板の変形例である。以下、図を参照しつつ、本発明の実施形態に係る帯板１０を詳細に説明する。
【００１４】
本発明の実施形態に係る帯板１０は、表面１の全部又は一部の素材として羊革及び／又は牛革を使用したことを特徴とする。これにより後述する効果を得ることができる。
【００１５】
表面１とは、身体（お腹付近）に装着した際、外側に来る面である。表面１の素材として羊革及び／又は牛革を使用する。羊革を使用することが好ましい。羊革としては、ラムスキン、シープスキン、ゴートスキンがあるが、ラムスキン及びシープスキンが好ましい。
【００１６】
表面１には羊革と牛革の両方を使用しても良いが、いずれか一方のみ使用することが好ましい。両方使用する場合には、例えば、羊革と牛革の境界部を縫い合わせる又は接着剤等で貼り合わせる。
【００１７】
素材として羊革及び／又は牛革を使用する範囲は、帯板１０の表面１の全面であることが好ましいが、（特に夏用として）表面１の一部であってもよい。素材として羊革及び／又は牛革を使用する範囲を帯板１０の表面１の全面ではなく、一部とする場合には、当該一部が、帯板１０の長手方向の中心線から左右にそれぞれ１５ｃｍ〜２２ｃｍ（図２のＷ１，Ｗ２）までの領域内の全部（図２の斜線領域）であることが好ましく、左右にそれぞれ２０ｃｍ〜２２ｃｍまでの領域内の全部であることがより好ましい。
【００１８】
表面１の羊革及び／又は牛革を使用した上記一部を除く残部（図２においては両サイド部分）は、合成布からなることが好ましい。特に高強度の合成布であることが好ましい。高強度の合成布を構成する合成繊維としては、例えば、高強度ポリエチレン、芳香族ポリアミド、ポリエステルが挙げられる。合成繊維を使用することが好ましいが、ある程度の強度が保持できれば、天然繊維や半合成繊維からなる布を使用することもできる。羊革及び／又は牛革からなる部分と残部との境界部は縫い合わせる等により一体化することができる。
【００１９】
裏面２とは、身体（お腹付近）に装着した際、内側に来る面である。裏面２の素材として合成布を使用することが好ましい。特に高強度の合成布であることが好ましい。高強度の合成布を構成する合成繊維としては、例えば、高強度ポリエチレン、芳香族ポリアミド、ポリエステルが挙げられる。合成繊維を使用することが好ましいが、ある程度の強度が保持できれば、天然繊維や半合成繊維からなる布を使用することもできる。
【００２０】
表面１と裏面２とは、高強度の糸（合成繊維又は天然繊維）で縫い合わされており、表面１と裏面２の外形に沿って縫い目１ａ，２ａが形成されている。表面１と裏面２とは縫い合わせて一体化することが好ましいが、これに限られず、接着剤や両面テープで貼り合わせる等して一体化してもよい。
【００２１】
なお、表面１と裏面２の間に表面１及び裏面２と同形状の薄板を備えていることが好ましい。当該薄板は、形状記憶樹脂等のプラスチックからなることが好ましい。当該薄板は、表面１及び裏面２と一緒に縫い合わせられる。あるいは、表面１と薄板の間、薄板と裏面２の間をそれぞれ接着剤や両面テープで貼り合わせる等してもよい。
【００２２】
裏面２の中央部には、ポケット２２が設けられていることが好ましく、例えば、図１（ｃ）では、裏面２の中央部の上方にポケット２２の入り口が設けられている。ポケット２２には、メモ用紙やお札（お金）を入れておくことができる。
【００２３】
帯板１０の形状は、特に限定されるものではないが、図１に示すように図１の下側（使用時に下側）の角部のテーパーに比べて、図１の上側（使用時に上側）の角部のテーパーが緩いことが好ましい。
【００２４】
帯板１０の長手方向の長さは、４０ｃｍ〜４５ｃｍの範囲内であることが好ましい。
【００２５】
帯板１０の高さ（長手方向と垂直方向の長さ）は、１３ｃｍ〜１６ｃｍの範囲内であることが好ましい。
【００２６】
帯板１０の厚みは、２ｍｍ〜４ｍｍの範囲内であることが好ましい。
【００２７】
帯板１０は、図１（ａ）に示されるように、裏面側に反っている形状とすることが装着時の密着性の観点から好ましい。
【００２８】
本発明の実施形態に係る帯板によれば、以下の効果が期待できる。
（１）補助具を備えていなくても着物の着崩れを防止できる。
（２）帯板が身体（前板の場合、お腹）にフィットする。
（３）長時間（例えば１８時間）着物を着ていても疲れにくい。
（４）帯締めのズレを防止できる。
（５）帯ズレの頻度が少ない。
（６）帯を傷めない。
（７）着装仕上がりが綺麗である。
（８）軽い。
（９）帯締めが締めやすい。
（１０）従来の帯板と違って革は使えば使うほど素材が身体に馴染み、末永く使用可能である(使い捨てではない)。
【００２９】
したがって、本発明の実施形態に係る帯板は、着物を着て動きのある仕事（例えば、芸能関係、旅館やホテルの女将、飲食業、着付教室・茶道・華道の先生、等）をする人に特に適している。
【００３０】
また、本発明の実施形態に係る帯板は、前板として使用する場合に特に適しているが、長手方向の長さ（横幅）を短くして（例えば２５ｃｍ〜３５ｃｍ）後ろ板として使用することもできる。また、帯板の長手方向の両端部に布（例えば合成布）を繋ぎ合わせ、繋ぎ合わせた布が使用時に背中の中心で交差するような実施形態とすることもできる。
【００３１】
次に実施例により本発明を説明するが、本発明はこれらの実施例により限定されるものではない。
【実施例】
【００３２】
実施例及び比較例の帯板を製造し、各種の評価を行なった。
【００３３】
〔帯板の製造〕
図１に示す帯板１０を表面１の素材として表１に示す材料を使用して製造した。裏面２の素材としては、高強度ポリエチレンを使用した。また、表面１と裏面２の間の薄板の素材としては合成プラスチック板を使用した。縫い糸はポリエステル繊維からなる糸を使用した。帯板１０の長手方向の長さは４４ｃｍであり、高さは１５ｃｍであり、厚みは２．５ｍｍである。
【００３４】
【表１】
2018159148.tif 000003
【００３５】
〔帯板の評価〕
製造した実施例及び比較例の帯板について、下記の評価を行なった。
（評価１）立って座る動作を繰り返し行って、何回で着物の着崩れが発生するかをカウントした（立って座るで１回としてカウントした）。
（評価２）身体（お腹）へのフィット感のあるものを○（合格）とし、フィット感の感じられないものを×（不合格）とした。
（評価３）１８時間、着物を着て活動していても疲れを感じなかったものを○（合格）とし、疲れを感じたものを×（不合格）とした。
（評価４）帯締めのズレが６時間着用していても無かったものを○（合格）とし、ズレが発生したものを×（不合格）とした。
（評価５）立って座る動作を繰り返し行って、何回で帯ズレが発生するかをカウントした（立って座るで１回としてカウントした）。
（評価６）１５回帯締めを行ない、帯を傷めなかったものを○（合格）とし、帯を傷めたものを×（不合格）とした。
（評価７）着装仕上がりが綺麗であったものを○（合格）とし、仕上がりが綺麗であるとは言えなかったものを×（不合格）とした。
（評価８）着物を着て活動していても重く感じなかったものを○（合格）とし、重く感じたものを×（不合格）とした。
（評価９）帯締めが締めやすかったものを○（合格）とし、締めにくかったものを×（不合格）とした。
【００３６】
評価結果は、下記の表２の通りであり、実施例１の羊革及び実施例２の牛革が優れていた。評価３の疲れやすさは、帯ズレや着崩れを何度も直す煩わしさやフィット感が無いことに基づく心地悪さ等に由来することが分かった。
【００３７】
【表２】
2018159148.tif 000004
【００３８】
なお、本発明は、上記実施の形態及び実施例に限定されず種々に変形実施が可能である。
【符号の説明】
【００３９】
１０：帯板
１：表面、１ａ，２ａ：縫い目、２：裏面、２２：ポケット
【図１】
2018159148.tif 000005
【図２】
2018159148.tif 000006
【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
表面の全部又は一部の素材として羊革及び／又は牛革を使用した帯板であって、
前記一部が、前記帯板の長手方向の中心線から左右にそれぞれ２０ｃｍ〜２２ｃｍまでの領域内の全部であることを特徴とする帯板。
【請求項２】
裏面の素材として合成布を使用したことを特徴とする請求項１に記載の帯板。
【請求項３】
前記表面の前記一部を除く残部が、合成布からなることを特徴とする請求項１又は請求項２に記載の帯板。